(57)【要約】【課題】  簡易に携行品を探索することができる携行品探索方法および携行品探索システムを提供する。【解決手段】  探索対象物である携行品（キーホルダー３０、眼鏡４０）に対し、アンテナ１２およびＩＣチップ１３を具備するＲＦＩＤタグ１０を貼り付けておき、探知機２０によりＲＦＩＤタグ１０と交信してキーホルダー３０や眼鏡４０を探索する。【選択図】      図１
2006227936.tif 000002
【特許請求の範囲】
【請求項１】
探索対象物である携行品（３０，４０）に対し、アンテナ（１２）およびＩＣチップ（１３）を具備するＲＦＩＤタグ（１０）を貼り付けておき、探知機（２０）により前記ＲＦＩＤタグ（１０）と交信して前記探索対象物である携行品（３０，４０）を探索するようにしたことを特徴とする携行品探索方法。
【請求項２】
前記ＲＦＩＤタグ（１０）としてパッシブ型ＲＦＩＤタグを用いたことを特徴とする請求項１に記載の携行品探索方法。
【請求項３】
前記探索対象物である携行品（３０，４０）にＲＦＩＤタグ（１０）を貼り付けた後において、前記ＲＦＩＤタグ（１０）に対応する探索対象物である携行品（３０，４０）に関するデータを登録しておき、探索する際に、前記携行品（３０，４０）に関するデータを探知機（２０）に入力することにより該当するＲＦＩＤタグ（１０）と交信して探索対象物である携行品（３０，４０）を探索するようにしたことを特徴とする請求項１または２に記載の携行品探索方法。
【請求項４】
アンテナ（１２）およびＩＣチップ（１３）を具備するとともに、探索対象物である携行品（３０，４０）に貼り付けるための粘着部（１５）を有するＲＦＩＤタグ（１０）と、
前記ＲＦＩＤタグ（１０）と交信して前記探索対象物である携行品（３０，４０）の所在を知らせる機能を有する探知機（２０）と、
を備えたことを特徴とする携行品探索システム。
【請求項５】
前記ＲＦＩＤタグ（１０）は、ベースフィルム（１１）の一方の面においてアンテナ（１２）が固着されるとともに前記アンテナ（１２）にＩＣチップ（１３）が実装され、さらに、前記ベースフィルム（１１）における前記アンテナ（１２）の配置面とは反対面側、あるいは、前記アンテナ（１２）の配置面側に粘着部（１５）が形成されていることを特徴とする請求項４に記載の携行品探索システム。
【請求項６】
前記探知機（２０）は、探索対象物である携行品の所在を知らせる機器として、ディスプレイ（２２）、スピーカ（２４）、バイブレータ（２５）の少なくともいずれかを備えることを特徴とする請求項４または５に記載の携行品探索システム。
【請求項７】
前記ＲＦＩＤタグ（１０）としてパッシブ型ＲＦＩＤタグを用いたことを特徴とする請求項４〜６のいずれか１項に記載の携行品探索システム。
【発明の詳細な説明】
【技術分野】
【０００１】
本発明は、携行品探索方法および携行品探索システムに関するものである。
【背景技術】
【０００２】
従来技術として、特許文献１には次の技術が開示されている。眼鏡やキーホルダー（鍵）などの携行品に、
（ｉ）電波や超音波などの無線サーチ信号を受信する小型マイクと、
（ｉｉ）小型マイクの出力により光及び音波を発生する応答信号発信手段を励磁する処理回路と、
（ｉｉｉ）この励磁によって光及び音波を発生する応答信号発信手段としての発光素子／スピーカと、
（ｉｖ）それらに電力を供給する小型電源と、
を組込み、組込んだ眼鏡やキーホルダー（鍵）に向けて無線サーチ信号を発信できる別体スイッチを設けたシステム構成となっている。
【特許文献１】特開２０００−２０７６５５号公報
【発明の開示】
【発明が解決しようとする課題】
【０００３】
ところが、上記システムでは、探索を行うために携行品に予め上述の（ｉ）〜（ｉｖ）を内蔵しなければならない。
本発明は、上記問題点に着目してなされたものであり、その目的は、簡易に携行品を探索することができる携行品探索方法および携行品探索システムを提供することにある。
【課題を解決するための手段】
【０００４】
携行品探索方法として請求項１に記載の発明によれば、探索対象物である携行品に対し、アンテナおよびＩＣチップを具備するＲＦＩＤタグを貼り付けておく。そして、探知機によりＲＦＩＤタグと交信して探索対象物である携行品を探索する。
【０００５】
これにより、探索対象となりうる携行品に、部品を予め内蔵することなく、既に使用している物品であってもＲＦＩＤタグを貼り付けることにより簡易に携行品を探索することができる。
【０００６】
ここで、請求項２に記載のように、請求項１に記載の携行品探索方法において前記ＲＦＩＤタグとしてパッシブ型ＲＦＩＤタグを用いることにより、電池を不要にすることができ、ＲＦＩＤタグをより小型軽量化することができる。
【０００７】
また、請求項３に記載のように、請求項１または２に記載の携行品探索方法において、前記探索対象物である携行品にＲＦＩＤタグを貼り付けた後において、前記ＲＦＩＤタグに対応する探索対象物である携行品に関するデータを登録しておき、探索する際に、前記携行品に関するデータを探知機に入力することにより該当するＲＦＩＤタグと交信して探索対象物である携行品を探索すると、携行品に関するデータを探知機に入力することにより容易にＲＦＩＤタグが貼り付けられた携行品を探索することができる。
【０００８】
携行品探索システムとして、請求項４に記載のように、アンテナおよびＩＣチップを具備するとともに、探索対象物である携行品に貼り付けるための粘着部を有するＲＦＩＤタグと、前記ＲＦＩＤタグと交信して前記探索対象物である携行品の所在を知らせる機能を有する探知機と、を備えたものを用いる。
【０００９】
これにより、ＲＦＩＤタグの粘着部を用いてＲＦＩＤタグを携行品に貼り付けた後に、携行品を探索するときには、探知機により、ＲＦＩＤタグと交信して探索対象物である携行品の所在が知らされる。
【００１０】
このようにして、探索対象となりうる携行品に、部品を予め内蔵することなく、既に使用している物品であってもＲＦＩＤタグを貼り付けることにより簡易に携行品を探索することができる。
【００１１】
請求項５に記載のように、請求項４に記載の携行品探索システムにおいて、前記ＲＦＩＤタグは、ベースフィルムの一方の面においてアンテナが固着されるとともに前記アンテナにＩＣチップが実装され、さらに、前記ベースフィルムにおける前記アンテナの配置面とは反対面側、あるいは、前記アンテナの配置面側に粘着部が形成されていると、よりよい。
【００１２】
請求項６に記載のように、請求項４または５に記載の携行品探索システムにおいて、探知機は、探索対象物である携行品の所在を知らせる機器として、ディスプレイ、スピーカ、バイブレータの少なくともいずれかを備えるものであると、ディスプレイ、スピーカ、バイブレータの少なくともいずれかで携行品の所在を知らせることができる。
【００１３】
請求項７に記載のように、請求項４〜６のいずれか１項に記載の携行品探索システムにおいて前記ＲＦＩＤタグとしてパッシブ型ＲＦＩＤタグを用いることにより、電池を不要にすることができ、ＲＦＩＤタグをより小型軽量化することができる。
【発明を実施するための最良の形態】
【００１４】
以下、本発明を具体化した一実施形態を図面に従って説明する。
図１は本実施形態における携行品探索システムの全体構成図である。携行品探索システムは、ＲＦＩＤタグ１０と、ハンディタイプの探知機（リーダ／ライタ）２０を備えている。図２にはＲＦＩＤタグ１０の平面図を示す。また、図２のＡ−Ａ断面を図３に示す。
【００１５】
図２，３を用いてＲＦＩＤタグ１０について説明する。
ＲＦＩＤタグ１０は樹脂製ベースフィルム１１の上面に金属薄膜よりなるアンテナ１２が固着されている。アンテナ１２としてループアンテナを用いており、樹脂製ベースフィルム１１にループ状の金属導体がパターニングされてアンテナを構成している。ループアンテナ１２の上にはＩＣチップ１３が実装されている。ＩＣチップ１３にはメモリが設けられている。また、ＲＦＩＤタグ１０として、パッシブ型ＲＦＩＤタグを用いている。即ち、ＩＣチップ１３には整流回路が形成されており、アンテナ１２で受けた電波をＩＣチップ１３において整流してＤＣ電圧を取り出して電源として用いる。これにより、電池が不要になる。
【００１６】
また、樹脂製ベースフィルム１１の上面には色付きの樹脂フィルム１４が配置され、この色付きの樹脂フィルム１４によりアンテナ１２およびＩＣチップ１３が覆われている。この樹脂フィルム１４の表面に所望の印刷を施してもよい（例えば、利用者の名前を印刷する等）。フィルム１１，１４およびアンテナ１２は可撓性を有している。
【００１７】
さらに、樹脂製ベースフィルム１１の下面において接着剤が全面に塗布されており、樹脂製ベースフィルム１１の下面に粘着部１５が形成された構成となっている。この粘着部１５において（接着剤により）、ＲＦＩＤタグ１０を探索対象物である携行品に貼り付けることができるようになっている。特に、ＲＦＩＤタグ１０（フィルム１１，１４およびアンテナ１２）が可撓性を有しているので、曲面にも容易に貼り付けることができる。
【００１８】
このように、ＲＦＩＤタグ１０は、アンテナ１２およびＩＣチップ１３を具備するとともに、探索対象物である携行品に貼り付けるための粘着部１５を有している。また、ＲＦＩＤタグ１０は、樹脂製ベースフィルム１１の一方の面においてアンテナ１２が固着されるとともにアンテナ１２にＩＣチップ１３が実装されている。さらに、樹脂製ベースフィルム１１におけるアンテナ１２の配置面とは反対面側に粘着部１５が形成されている。なお、粘着部１５を、アンテナ１２の配置面側、即ち、色付きの樹脂フィルム１４の表面に形成してもよい（樹脂フィルム１４の表面に接着剤を塗布してもよい）。
【００１９】
図１における探知機２０の平面図を図４に示す。また、図５には探知機２０の下面図を示す。
探知機２０は、ＲＦＩＤタグ１０と送受信を行うことができるとともにリーダ／ライタ機能を有している。詳しくは、探知機２０は全体構成として箱型をなしており、箱型ボディ２１の上面には液晶ディスプレイ２２が設置されるとともに、複数のスイッチよりなるスイッチ群２３が設置されている。このスイッチ群２３により、タグ１０への情報の登録や探索を実行させることができるようになっている。箱型ボディ２１の下面にはスピーカ２４とバイブレータ２５が設けられている。液晶ディスプレイ２２とスピーカ２４とバイブレータ２５を用いて探索対象物である携行品が近くにあることを知らせることができるようになっている。ここで、液晶ディスプレイ２２による画面表示、スピーカ２４からの音の出力、バイブレータ２５による振動の発生のいずれを用いるかは利用者がキー操作により選択することができるようになっている。このように、探知機２０は、ＲＦＩＤタグ１０と交信して探索対象物である携行品の所在を知らせる機能を有している。
【００２０】
次に、このように構成した携行品探索システムの作用について説明する。この説明においては、探索対象物である携行品はキーホルダー３０と眼鏡４０とする（図１参照）。即ち、携行品としてキーホルダー（鍵がついている）３０と眼鏡４０を取り上げる。また、ＲＦＩＤタグ１０として、識別番号「１」のＲＦＩＤタグ１０ａと、識別番号「２」のＲＦＩＤタグ１０ｂを用いる。
【００２１】
まず、図６に示すように、既に使用しているキーホルダー３０、及び、ＲＦＩＤタグ（識別番号１）１０ａを用意する。そして、図７に示すように、キーホルダー３０にＲＦＩＤタグ（識別番号１）１０ａを貼り付ける。
【００２２】
その後、探知機（リーダ／ライタ）２０のキー操作により登録モードにして、識別番号１のタグ１０ａに対応するキーホルダー３０に関するデータとして「キーホルダー」を入力してＲＦＩＤタグ１０ａのメモリに書き込む。これにより、「キーホルダー」が登録される。これによって、探知機（リーダ／ライタ）２０に「キーホルダー」と入力することにより識別番号１のタグ１０ａを貼り付けたキーホルダー３０を探すモードにすることができる。
【００２３】
同様に、図１に示すように、眼鏡４０のツル４１に別のＲＦＩＤタグ（識別番号２）１０ｂを貼り付ける。そして、探知機（リーダ／ライタ）２０のキー操作により登録モードにして、識別番号２のタグ１０ｂに対応する眼鏡４０に関するデータとして「メガネ」を入力してＲＦＩＤタグ１０ｂのメモリに書き込む。これにより、「メガネ」が登録される。これによって、探知機（リーダ／ライタ）２０に「メガネ」と入力することにより識別番号２のタグ１０ｂを貼り付けた眼鏡４０を探すモードにすることができる。
【００２４】
このようにして、ＲＦＩＤタグ１０を予め眼鏡やキーホルダーなどの携行品に貼り付けておく。
キーホルダー３０（ＲＦＩＤタグ１０ａを貼付けた携行品）を紛失した場合、次のようにする。
【００２５】
利用者は探知機２０のキー操作により「キーホルダー」と入力してキーホルダー３０を探すモードにした後に、探索を開始させる。これにより、探知機２０からＲＦＩＤタグ１０に向けて送信波が出力される。そして、図８に示すように、探知機２０の電波範囲内にＲＦＩＤタグ１０ａがあると、即ち、キーホルダー３０（ＲＦＩＤタグ１０ａを貼付けた携行品）が近くにあると、ＲＦＩＤタグ１０ａのアンテナ１２が送信波を受信してＩＣチップ１３において当該送信波を電源として送受信を行うことができるようになる（ＩＣチップ１３が励起される）。これにより、ＲＦＩＤタグ１０ａから探知機２０に対し送信波が出力される。このとき、識別番号１のＲＦＩＤタグである旨のデータおよび「キーホルダー」である旨のデータも送られる。ＲＦＩＤタグ１０ａからの送信波（応答）を探知機２０が受信すると、探知機２０において、ＲＦＩＤタグ１０ａから応答があったことを確認してキーホルダー３０が近くにある旨を知らせる。具体的には、液晶ディスプレイ２２による画面表示、スピーカ２４からの音の出力、バイブレータ２５による振動の発生のいずれかを行う。なお、探知機２０とＲＦＩＤタグ１０との交信距離（電波の届く距離）は例えば２ｍ程度である。
【００２６】
同様に、眼鏡４０（ＲＦＩＤタグ１０ｂを貼付けた携行品）を紛失した場合、次のようにする。
利用者は探知機２０のキー操作により「メガネ」と入力して眼鏡４０を探すモードにした後に、探索を開始させる。これにより、探知機２０からＲＦＩＤタグ１０に向けて送信波が出力される。そして、探知機２０の電波範囲内にＲＦＩＤタグ１０ｂがあると、即ち、眼鏡４０（ＲＦＩＤタグ１０ｂを貼付けた携行品）が近くにあると、ＲＦＩＤタグ１０ｂのアンテナ１２が送信波を受信してＩＣチップ１３において当該送信波を電源として送受信を行うことができるようになる。これにより、ＲＦＩＤタグ１０ｂから探知機２０に対し送信波が出力される。このとき、識別番号２のＲＦＩＤタグである旨のデータおよび「メガネ」である旨のデータも送られる。ＲＦＩＤタグ１０ｂからの送信波（応答）を探知機２０が受信すると、探知機２０において、ＲＦＩＤタグ１０ｂから応答があったことを確認して眼鏡４０が近くにある旨を知らせる。具体的には、液晶ディスプレイ２２による画面表示、スピーカ２４からの音の出力、バイブレータ２５による振動の発生のいずれかを行う。
【００２７】
このように、ＲＦＩＤタグ１０を付けていないキーホルダーや眼鏡を探すのに比べ、キーホルダーや眼鏡にＲＦＩＤタグ１０を貼り付けて紛失したキーホルダーや眼鏡を探すことにより、探知機（リーダ／ライタ）２０が出力できる電波範囲内にある場合、ＲＦＩＤタグ１０が反応し応答してディスプレイ２２での表示や音や振動で知らせるため探しやすくなる。
【００２８】
上記実施形態によれば、以下のような効果を得ることができる。
（１）携行品探索方法として、探索対象物である携行品（キーホルダー３０、眼鏡４０）に対し、アンテナ１２およびＩＣチップ１３を具備するＲＦＩＤタグ１０を貼り付けておき、探知機２０によりＲＦＩＤタグ１０と交信して探索対象物である携行品（３０，４０）を探索するようにした。これにより、探索対象となりうる携行品に、部品を予め内蔵することなく、既に使用している物品であってもＲＦＩＤタグ１０を貼り付けることにより簡易に携行品を探索することができる。つまり、上記特許文献１においては、探索を行うために携行品に予め上述の（ｉ）〜（ｉｖ）を内蔵しなければならない。これに対し、本実施形態においては、応答器としてのマイクや発光素子、および、応答回路としての処理回路を携行品に組み込む（内蔵する）ことなく、簡易に携行品を探索することができる。
【００２９】
特に、ＲＦＩＤタグ１０としてパッシブ型ＲＦＩＤタグを用いており、これにより、電池を不要にすることができ、ＲＦＩＤタグをより小型軽量化することができる。即ち、上記特許文献１においては小型電池を携行品に組み込んでいたが、本実施形態においては携行品側に電池がなくても携行品を探索することができる。
【００３０】
また、探索対象物である携行品（３０，４０）にＲＦＩＤタグ１０を貼り付けた後において、ＲＦＩＤタグ１０に対応する探索対象物である携行品（３０，４０）に関するデータを登録しておき、探索する際に、携行品（３０，４０）に関するデータを探知機２０に入力することにより該当するＲＦＩＤタグ１０と交信して探索対象物である携行品（３０，４０）を探索するようにした。具体的には、識別番号１のＲＦＩＤタグ１０ａに対応するキーホルダー３０に関するデータとして「キーホルダー」を登録するとともに識別番号２のＲＦＩＤタグ１０ｂに対応する眼鏡４０に関するデータとして「メガネ」を登録しておき、探索する際に、「キーホルダー」を探知機２０に入力することによりＲＦＩＤタグ１０ａと交信してキーホルダー３０を探索する。また、探索する際に、「メガネ」を探知機２０に入力することによりＲＦＩＤタグ１０ｂと交信して眼鏡４０を探索する。これによって、携行品（３０，４０）に関するデータを探知機２０に入力することにより容易にＲＦＩＤタグ１０が貼り付けられた携行品を探索することができる。
【００３１】
（２）携行品探索システムとして、アンテナ１２およびＩＣチップ１３を具備するとともに、探索対象物である携行品（キーホルダー３０、眼鏡４０）に貼り付けるための粘着部１５を有するＲＦＩＤタグ１０と、ＲＦＩＤタグ１０と交信して探索対象物である携行品（３０，４０）の所在を知らせる機能を有する探知機２０と、を備えている。よって、ＲＦＩＤタグの粘着部１５を用いてＲＦＩＤタグ１０を携行品（３０，４０）に貼り付けた後に、携行品（３０，４０）を探索するときには、探知機２０により、ＲＦＩＤタグ１０と交信して探索対象物である携行品（３０，４０）の所在が知らされる。
【００３２】
このようにして、探索対象となりうる携行品（３０，４０）に、部品を予め内蔵することなく、既に使用している物品であってもＲＦＩＤタグ１０を貼り付けることにより簡易に携行品を探索することができる。
【００３３】
特に、探知機２０は、探索対象物である携行品（３０，４０）の所在を知らせる機器として、ディスプレイ２２、スピーカ２４、バイブレータ２５の少なくともいずれかを備えるものであると、ディスプレイ２２、スピーカ２４、バイブレータ２５の少なくともいずれかで携行品の所在を知らせることができる。
【００３４】
なお、上記実施形態では携行品の例としてキーホルダー（鍵）や眼鏡について説明したがこれに限ることなく他の紛失する可能性があるものにＲＦＩＤタグ１０を貼り付けて探索するようにしてもよい。
【００３５】
また、ＲＦＩＤタグ１０のアンテナとしてループアンテナを用いたが他のアンテナ、例えばダイポールアンテナやパッチアンテナを用いてもよい。
また、探知機２０はリーダ／ライタ機能を有するものを用いたが、リーダ機能のみを有するものを用いてもよい。
【００３６】
また、前記実施形態では探索システム（携行品探索システム）としたが、機密書類（持ち出し禁止対象である物品）にＲＦＩＤタグを貼り付けて機密書類持ち出し防止などの防犯に利用してもよい。
【００３７】
詳しくは、図９に示すように、保管室内においてキャビネットには機密書類（例えばファイル）５０が配置され、当該機密書類５０には図２，３を用いて説明したＲＦＩＤタグ１０が貼り付けられている。一方、当該機密書類５０の保管室の出口（出入り口を含む）には検知機（読み取り装置）５１が設置されている。この検知機（読み取り装置）５１は保管室の出口においてＲＦＩＤタグ１０と交信することができる。保管室の出口のドアにはドアロック装置５３が設けられ、ドアロック装置５３におけるロックを解除しないとドアが開かないようになっている。検知機５１は、持ち出しを防止する機能として、警報装置（ブザー）５２を制御して警報音を出力させる機能と、ドアロック装置５３を制御してドアロックを解除させないようにする機能を有している。
【００３８】
作用について説明する。
まず、保管室内における機密書類（例えばファイル）５０にＲＦＩＤタグ１０を貼り付けておく。そして、機密書類５０を持ち出そうとすると、保管室の出口において検知機５１によりＲＦＩＤタグ１０との交信が行われて、持ち出しが禁止されている機密書類５０が持ち出されようとしていることが検出される。検知機５１は、この検出に伴って持ち出しを禁止する処理として、警報装置（ブザー）５２を制御して警報音を出力させるとともにドアロック装置５３を制御してドアロック状態を保持してドアを開けることができないようにする。これによって、警報がなされるとともにドアが開かないため機密書類５０を保管室の外部に持ち出すことができない。
【００３９】
次に、図９を用いて説明した実施形態から把握できる技術的思想を以下に記載する。
（イ）持ち出し禁止対象である物品（５０）に対し、アンテナ（１２）およびＩＣチップ（１３）を具備するＲＦＩＤタグ（１０）を貼り付けておき、検知機（５１）により前記ＲＦＩＤタグ（１０）と交信して前記持ち出し禁止対象である物品（５０）が持ち出されようとしているときには持ち出しを防止するようにしたことを特徴とする持出禁止物品の持出防止方法。
【００４０】
これにより、機密書類等の持ち出し禁止対象である物品の持ち出しを防止することができる。
（ロ）アンテナ（１２）およびＩＣチップ（１３）を具備するとともに、持ち出し禁止対象である物品（５０）への接着面（１５）を有するＲＦＩＤタグ（１０）と、
前記持ち出し禁止対象である物品（５０）の保管室の出口において設置され、前記ＲＦＩＤタグ（１０）と交信して前記持ち出し禁止対象である物品（５０）が持ち出されようとしているときには持ち出しを防止する機能を有する検知機（５１）と、
を備えたことを特徴とする持出禁止物品の持出防止システム。
【００４１】
これにより、機密書類等の持ち出し禁止対象である物品の持ち出しを防止することができる。
【図面の簡単な説明】
【００４２】
【図１】実施形態における携行品探索システムの全体構成図。
【図２】ＲＦＩＤタグの平面図。
【図３】図２のＡ−Ａ断面図。
【図４】探知機の平面図。
【図５】探知機の下面図。
【図６】携行品探索システムの作用を説明するための平面図。
【図７】携行品探索システムの作用を説明するための平面図。
【図８】携行品探索システムの作用を説明するための平面図。
【図９】持出禁止物品の持出防止システムの全体構成図。
【符号の説明】
【００４３】
１０…ＲＦＩＤタグ、１１…樹脂製ベースフィルム、１２…アンテナ、１３…ＩＣチップ、１５…粘着部、２０…探知機、２２…ディスプレイ、２４…スピーカ、２５…バイブレータ、３０…キーホルダー、４０…眼鏡。
【図１】
2006227936.tif 000003
【図２】
2006227936.tif 000004
【図３】
2006227936.tif 000005
【図４】
2006227936.tif 000006
【図５】
2006227936.tif 000007
【図６】
2006227936.tif 000008
【図７】
2006227936.tif 000009
【図８】
2006227936.tif 000010
【図９】
2006227936.tif 000011